(57)【要約】 【課題】  画像データを、その画像データよりも解像度の低い表示デバイスに表示する際に、従来のようにスケーリングを行う場合と比較して高解像度感を得る。【解決手段】  画面上で隣り合う２つ以上の画素４１〜４４を１つの組として、１画面分の画像データ２２を複数の組に分類する。個々の組の画素４１〜４４のデータに基づき、それぞれ表示デバイス２４の１つの画素４５に時分割的に順次表示させるデータを出力する。【選択図】  図３
2007017615.tif 000002
【特許請求の範囲】
【請求項１】
画像データを、該画像データよりも解像度の低い表示デバイスに表示するための画像処理装置において、
画面上で隣り合う２つ以上の画素を１つの組として、１画面分の画像データを複数の組に分類し、各々の前記組の画素のデータに基づき、それぞれ表示デバイスの１つの画素に時分割的に順次表示させるデータを出力する処理手段
を備えたことを特徴とする画像処理装置。
【請求項２】
請求項１に記載の画像処理装置において、
前記処理手段は、前記画像データの解像度と、該画像データを表示する表示デバイスの解像度との比に応じて、１つの組に含まれる画素の数を決定する
ことを特徴とする画像処理装置。
【請求項３】
請求項１に記載の画像処理装置において、
前記処理手段は、各々の組の全ての画素のデータを、それぞれ表示デバイスの１つの画素に時分割的に順次表示させるデータとして出力することを特徴とする画像処理装置。
【請求項４】
請求項３に記載の画像処理装置において、
前記処理手段は、同じ組の中での距離が近い画素同士のデータを続けて出力する
ことを特徴とする画像処理装置。
【請求項５】
請求項１に記載の画像処理装置において、
前記処理手段は、
画面上で水平方向，垂直方向にそれぞれ隣り合う４つ以上の画素を１つの組として決定し、
各々の組について、画面の水平方向，垂直方向のうちの一方の方向に隣り合う画素のデータの平均値を求めることにより、水平方向，垂直方向のうちの残りの一方の方向に隣り合う２つ以上の新たな画素のデータを作成し、
各々の組の前記新たな画素のデータを、それぞれ表示デバイスの１つの画素に時分割的に順次表示させるデータとして出力する
ことを特徴とする画像処理装置。
【請求項６】
請求項１に記載の画像処理装置において、
前記処理手段は、
画面上で水平方向，垂直方向にそれぞれ隣り合う４つ以上の画素を１つの組として決定し、
各々の組について、互いに水平方向上の位置と垂直方向上の位置との双方が異なる一部の画素のデータを、それぞれ表示デバイスの１つの画素に時分割的に順次表示させるデータとして出力する
ことを特徴とする画像処理装置。
【請求項７】
画像データを、該画像データよりも解像度の低い表示デバイスに表示するための画像処理方法において、
画面上で隣り合う２つ以上の画素を１つの組として、１画面分の画像データを複数の組に分類するステップと、
各々の前記組の画素のデータに基づき、それぞれ表示デバイスの１つの画素に時分割的に順次表示させるデータを出力するステップと
を有することを特徴とする画像処理方法。
【請求項８】
コンピュータに、
画面上で隣り合う２つ以上の画素を１つの組として、１画面分の画像データを複数の組に分類する手順と、
各々の前記組の画素のデータに基づき、それぞれ表示デバイスの１つの画素に時分割的に順次表示させるデータを出力する手順とを実行させるためのプログラム。
【発明の詳細な説明】
【技術分野】
【０００１】
本発明は、画像データを、その画像データよりも解像度の低い表示デバイスに表示するための画像処理装置，画像処理方法等に関する。
【背景技術】
【０００２】
現在、個人が画像を撮影したり放送やインターネットを介して画像を入手する場合、その画像データの表示解像度と、その画像データを実際に表示する表示デバイスの解像度とは、異なるのが一般的である。特に、数百万画素の撮像素子を有するデジタルカメラで撮影した画像データを、携帯電話機の限られた表示サイズ・画素数のＬＣＤに表示するなど、高解像度の画像データを低解像度の表示デバイスに表示することが多々ある。
【０００３】
従来、このように高解像度の画像データを低解像度の表示デバイスに表示する場合には、複数の画素の平均化や、線形補間によりスケーリングを行っていた（例えば、特許文献１参照）。
【０００４】
この従来の手法を、図１４に例示するように、横６４０画素×縦４８０画素（総画素数３０７，２００画素）のいわゆるＶＧＡ画像データ１１を、横３２０画素×縦２４０画素（総画素数７６，８００画素）のＱＶＧＡ表示デバイス１２に表示する場合について説明することにする。
【０００５】
この場合、従来の手法としては、ＶＧＡ画像データ１１の横２画素，縦２画素の合計４つの画素の値を平均化してＱＶＧＡ表示デバイス１２に表示することが一般的である。
【０００６】
つまり、図１５の左側に示すように、ＶＧＡの横６４０画素を０，１，…２ｎ，２ｎ＋１，…６３８，６３９（ｎは０〜３１９）とし、縦４８０画素を０，１，…２ｍ，２ｍ＋１，…４７８，４７９（ｍは０〜２３９）として、横２ｎ〜２ｎ＋１及び縦２ｍ〜２ｍ＋１の位置にあるＶＧＡ画像データ１１の４つの画素（画素３１，３２，３３，３４）の値を平均化する。
【０００７】
そして、図１５の右側に示すような、ＱＶＧＡ表示デバイス１２の横ｎ、縦ｍの位置にある画素３５に、図１６に示すように、この画素３１〜３４の平均値を表示する。このようにして画素３５に表示されるデータの値は、ＶＧＡ画像データ１１が静止画である場合には、時間的に変化することは無く常に一定になる。
【０００８】
下記の表１は、この画素３５に表示される値の具体例を示す。画素３１〜３４の値が、８ビット（０〜２５５）のＲＧＢ値でこの表の２〜５段目のように表されるとすると、画素３５のＲＧＢ値は、この表の最下段の値となる。
【表１】
2007017615.tif 000003
【０００９】
ここではＱＶＧＡ表示デバイス１２の一つの画素３５について述べたが、ｎ＝０〜３１９，ｍ＝０〜２３９の全ての値について同様な処理を行うことにより、ＶＧＡ画像データ１１を、ＱＶＧＡ表示デバイス１２に変換して表示することができる。
【００１０】
【特許文献１】特開平１０−２１３８７号公報（段落番号００３４〜００３８、図１〜３）
【発明の開示】
【発明が解決しようとする課題】
【００１１】
ところが、このスケーリングを行った場合には、元の画像データの解像度が、表示デバイスの解像度に合わせて下げられてしまう。すなわち、図１４の例では、ＱＶＧＡ表示デバイス１２に表示される画像データの解像度は、元のＶＧＡ画像データ１１の４分の１（画面の水平方向，垂直方向でそれぞれ画像データ１１の半分ずつ）に下がってしまう。
【００１２】
そのため、せっかく解像度の高い画像データを撮影したり入手しても、その解像度の高さが表示画面に全く反映されない。
【００１３】
ここで、解像度の高い表示デバイスを用いるようにすれば、元の画像データの解像度を下げなくても済むことはもちろんである。しかし、そうすることは、一般的にコスト高を招くのみならず、携帯電話のように表示デバイスのサイズが制約されている小型の装置では、物理的に困難あるいは不可能である。
【００１４】
本発明は、上述の点に鑑み、画像データを、その画像データよりも解像度の低い表示デバイスに表示する際に、従来のようにスケーリングを行う場合と比較して高解像度感を得られるようにすることを課題としてなされたものである。
【課題を解決するための手段】
【００１５】
本発明は、画像データを、その画像データよりも解像度の低い表示デバイスに表示するための画像処理装置において、画面上で隣り合う２つ以上の画素を１つの組として、１画面分の画像データを複数の組に分類し、個々の組の画素のデータに基づき、それぞれ表示デバイスの１つの画素に時分割的に順次表示させるデータを出力する処理手段を備えた画像処理装置である。
【００１６】
また本発明は、画像データを、その画像データよりも解像度の低い表示デバイスに表示するための画像処理方法において、画面上で隣り合う２つ以上の画素を１つの組として、１画面分の画像データを複数の組に分類するステップと、個々の組の画素のデータに基づき、それぞれ表示デバイスの１つの画素に時分割的に順次表示させるデータを出力するステップとを有する画像処理方法である。
【００１７】
また本発明は、コンピュータに、画面上で隣り合う２つ以上の画素を１つの組として、１画面分の画像データを複数の組に分類する手順と、個々の組の画素のデータに基づき、それぞれ表示デバイスの１つの画素に時分割的に順次表示させるデータを出力する手順とを実行させるためのプログラムである。
【００１８】
本発明では、１画面分の画像データが、画面上で隣り合う２つ以上の画素を１つの組として、複数の組に分類される。そして、個々の組の画素のデータに基づき、それぞれ表示デバイスの１つの画素に時分割的に順次表示させるデータが出力される。
【００１９】
この出力データが供給された表示デバイスでは、元の画像データのうちの一部分ずつのデータが時分割的に順次表示される。表示デバイスの個々の画素に着目すれば、この時分割表示されるデータは、元の画像データのうちの画面上で隣り合う画素（同じ組の画素）のデータである。人間の脳の内部では、これらの隣り合う画素のデータが、本来のその画素のデータを表示すべき位置と表示デバイスの画素の位置とのずれを補正した形で知覚される。その結果、スケーリングを行う場合と比較して高解像度感が得られる。
【００２０】
これにより、画像データを、その画像データよりも解像度の低い表示デバイスに表示する際に、従来のようにスケーリングを行う場合と比較して高解像度感を得ることができる。
【発明の効果】
【００２１】
本発明によれば、画像データを、その画像データよりも解像度の低い表示デバイスに表示する際に、従来のようにスケーリングを行う場合と比較して高解像度感を得ることができるという効果が得られる。
【発明を実施するための最良の形態】
【００２２】
以下、本発明を図面を用いて具体的に説明する。なお、以下では、図１に示すように、デジタルカメラ２１で撮影したＶＧＡ画像データ（静止画データ）２２を、携帯電話２３に設けられているＱＶＧＡサイズのＬＣＤ画面２４に表示するために本発明を適用した例について説明する。
【００２３】
図２は、この携帯電話２３の画像処理系を示すブロック図である。図示しない画像入力端子を介して図１のデジタルカメラ２１から入力したＶＧＡ画像データ２２が、信号処理ＬＳＩ１５に送られる。
【００２４】
信号処理ＬＳＩ１５は、内部のメモリに格納されているプログラムを実行することにより、このＶＧＡ画像データ２２をメモリ１８に書き込んだ後、以下に図３〜図５等を用いて説明するような処理によってメモリ１８からデータを読み出し、パネルドライバ１６を介してそのデータをディスプレイパネル１７（図１のＬＣＤ画面２４を構成しているＬＣＤパネル）に表示させる。
【００２５】
次に、信号処理ＬＳＩ１５の処理について説明する。図３の左側に示すように、ＶＧＡの横６４０画素を０，１，２ｎ，２ｎ＋１，…６３８，６３９（ｎは０〜３１９）とし、縦４８０画素を０，１，…２ｍ，２ｍ＋１，４７８，４７９（ｍは０〜２３９）として、ＶＧＡ画像データ２２の横２ｎ〜２ｎ＋１及び縦２ｍ〜２ｍ＋１の位置にある４つの画素（画素４１，４２，４３，４４）のデータに基づき、図３の右側のＬＣＤ画面２４の横ｎ，縦ｍの位置にある画素４５の表示を行う。
【００２６】
この際、画素４１，４２，４３，４４のデータを、従来のスケーリングにおけるように平均化することなく、時分割的に画像４５に順次表示させる。
【００２７】
図４は、この画素４５への時分割表示方法を示す。１サイクルを４つの期間に分割したそれぞれの期間を第１期間，第２期間，第３期間，第４期間と名づけると、第１期間には、メモリ１８（図２）から画素４１のデータを読み出してＬＣＤ画面２４の画素４５に表示させる。第２期間には、メモリ１８から画素４２のデータを読み出してＬＣＤ画面２４の画素４５に表示させる。第３期間には、メモリ１８から画素４３のデータを読み出してＬＣＤ画面２４の画素４５に表示させる。第４期間には、メモリ１８から画素４４のデータを読み出してＬＣＤ画面２４の画素４５に表示させる。そして、この第１期間〜第４期間のサイクルを繰り返していく。
【００２８】
下記の表２は、この画素４５に表示される値の具体例を示す。画素４１〜４４の値が、８ビット（０〜２５５）のＲＧＢ値でこの表の２〜５段目のように表されるとすると、画素４５のＲＧＢ値は、第１期間にはこの表２の６段目の値となり、第２期間にはこの表２の７段目の値となり、第３期間にはこの表２の８段目の値となり、第４期間にはこの表２の最下段の値となる。
【表２】
2007017615.tif 000004
【００２９】
ここではＬＣＤ画面２４の一つの画素４５について述べたが、ｎ＝０〜３１９，ｍ＝０〜２３９の全ての値について同様な処理を行うことにより、ＶＧＡ画像データ２２に含まれる全ての画素のデータを、時分割的にＬＣＤ画面２４に順次繰り返して表示させる。
【００３０】
すなわち、ＶＧＡ画像データの１画面を、画素４１〜４４のように画面上で隣り合う４つの画素を１つの組として、複数の組（ここでは縦２４０×横３２０＝７６，８００組）に分類する。そして、メモリ１８から、これらの複数の組のそれぞれ１画素分ずつのデータを、画素を切り換えつつ順次繰り返して読み出してＬＣＤ画面２４に表示させる。
【００３１】
これにより、ＬＣＤ画面２４全体について見れば、図５に示すように、第１期間には、各組の画素のうち、画素４１（図３）のように組の中で左上端に位置する画素のデータ（合計７６，８００画素分のデータ）のみによる画像が表示される。第２期間には、各組の画素のうち、画素４２（図３）のように組の中で右上端に位置する画素のデータ（合計７６，８００画素分のデータ）のみによる画像が表示される。第３期間には、各組の画素のうち、画素４３（図３）のように組の中で右下端に位置する画素のデータ（合計７６，８００画素分のデータ）のみによる画像が表示される。第４期間には、各組の画素のうち、画素４４（図３）のように組の中で左下端に位置する画素のデータ（合計７６，８００画素分のデータ）のみによる画像が表示される。このようにして、ＶＧＡ画像データ２２に含まれる全ての画素のデータ（３０７，２００画素分のデータ）が、時分割的にＬＣＤ画面２４に順次繰り返して表示される。
【００３２】
ＬＣＤ画面２４の個々の画素に着目すれば、この時分割表示されるデータは、ＶＧＡ画像データ２２のうちの画面上で隣り合う画素（同じ組の画素）のデータである。例えば、図３の画素４５に着目すれば、ＶＧＡ画像データ２２のうちの画面上で隣り合う画素画素４１，４２，４３，４４のデータである。人間の脳の内部では、これらの隣り合う画素の画像の特徴点を抽出してとらえる。
【００３３】
すなわち、図６の左側の図に示すように、ＶＧＡ画像データ２２で本来表示されるべき画素４１のデータの位置の中心点５１は、座標（ｎ，ｍ）の画素４５の中心点５５に対して、画面水平方向に１／４画素分（画素４５の一辺の１／４）のずれ５６を有するとともに、画面垂直方向にも１／４画素分のずれ５７を有している。
【００３４】
また、図６の右側の図に示すように、ＶＧＡ画像データ２２で本来表示されるべき画素４２のデータの位置の中心点５２は、座標（ｎ，ｍ）の画素４５の中心点５５に対して、画面水平方向に１／４画素分のずれ５８（画素４１とは逆向きのずれ）を有するとともに、画面垂直方向にも１／４画素分のずれ５９を有している。
【００３５】
また、図６の右側の図に示すように、ＶＧＡ画像データ２２で本来表示されるべき画素４３のデータの位置の中心点５３は、座標（ｎ，ｍ）の画素４５の中心点５５に対して、画面水平方向に１／４画素分のずれ６０（画素４１とは逆向きのずれ）を有するとともに、画面垂直方向にも１／４画素分のずれ６１（画素４１とは逆向きのずれ）を有している。
【００３６】
また、図６の右側の図に示すように、ＶＧＡ画像データ２２で本来表示されるべき画素４４のデータの位置の中心点５４は、座標（ｎ，ｍ）の画素４５の中心点５５に対して、画面水平方向に１／４画素分のずれ６２を有するとともに、画面垂直方向にも１／４画素分のずれ６３（画素４１とは逆向きのずれ）を有している。
【００３７】
そして、このように画面上で隣り合う画素４１〜４４の画像がＬＣＤ画面２４の同じ画素４５に時分割的に順次表示されることにより、人間の脳の内部では、これらの画素４１〜４４の画像が、本来表示されるべき位置の中心点５２〜５４と画素４５の中心点５５とのずれを補正した形で知覚される。その結果、元のＶＧＡ画像データ２２に匹敵する高解像度感が得られる。
【００３８】
これにより、ＬＣＤ画面２４のサイズが制約されている携帯電話２３にＶＧＡ画像データ２２を入力して表示させ際に、従来のようにスケーリングを行う場合と比較して高解像度感を得ることができる。
【００３９】
なお、このように時分割表示を行う際に、視覚的に画像のずれの追従視を容易にするためには、ＶＧＡ画像データ２２の同じ組の画素のうち、画面上での距離が近い画素同士のデータを続けて表示するように、表示の順番（図２のメモリ１８からのデータの読み出しの順番）を決定することが望ましい。
【００４０】
例えば、図６に示したように、ＶＧＡ画像データ２２で本来表示されるべき画素４１〜４４のデータの位置の中心点５１〜５４について見れば、中心点５１・中心点５２間の距離，中心点５２・中心点５３間の距離，中心点５３・中心点５４間の距離，中心点５４・中心点５１間の距離は、それぞれ正方形の一辺に相当するので、中心点５１・中心点５３間の距離や中心点５２・中心点５４間の距離（正方形の対角線に相当）よりも短い。すなわち、画素４１・画素４２間の距離，画素４２・画素４３間の距離，画素４３・画素４４間の距離，画素４４・画素４１間の距離は、画素４１・画素４３間の距離や画素４２・画素４４間の距離よりも短い。
【００４１】
そこで、時計回りに円を描くように画素４１，４２，４３，４４の順番に表示する（図４に示した方法ではこの順番で表示している）か、あるいは、反時計回りに円を描くように画素４１，４４，４３，４２の順番に表示することが望ましい。図７は、画素４１〜４４をそれぞれその中心点５１〜５４で表して、時計回りの順番，反時計回りの順番をそれぞれ矢印７１，７２で描いたものである。これらの順番で表示した場合には、追従視のための１サイクル（第１期間の開始時から第４期間の終了時まで）の移動距離は２画素分（画素４５の一辺の２倍）となり、他の順番で表示する場合よりも短くなる。
【００４２】
また、図４に示した第１期間，第２期間，第３期間，第４期間の長さは、互いに等しくすることが望ましい。
【００４３】
また、各期間（第１期間〜第４期間）の長さは、信号処理ＬＳＩ１５やパネルドライバ１６やディスプレイパネル１７の処理能力に応じて適宜決定したり、視覚的に自然な見え方になるように適宜決定してよいが、ディスプレイパネル１７のフレーム周波数に合わせて決定することが、パネルドライバ１６やディスプレイパネル１７での処理の観点からは望ましい。例えば、携帯電話２３がＮＴＳＣ方式のテレビジョン信号（５９．９４Ｈｚ）の受像機能を持っている場合には、各期間の長さを１／５９．９４秒（時分割表示の１サイクルの長さを約１／１５秒）にすることが望ましい。
【００４４】
以上の例では、各組の４つの画素のデータを、全て時分割表示している。次に、信号処理ＬＳＩ１５の処理の変更例として、１つの組の画素数を４つにしたまま、各組から２つの画素のデータを時分割表示する例をいくつか説明する。
【００４５】
図８及び図９は、水平方向の解像度感のみを高めたい場合の例を示す。この場合には、図８の左側に示すような、ＶＧＡ画像データ２２の横２ｎ〜２ｎ＋１及び縦２ｍ〜２ｍ＋１の位置にある４つの画素（画素３１，３２，３３，３４）のうち、垂直方向に隣り合う画素３１及び画素３４のデータを図２のメモリ１８から読み出してそれらの平均値を求めることにより、新たな画素（図９の画素８１）のデータを作成する。同様に、垂直方向に隣り合う画素３２及び画素３３のデータをメモリ１８から読み出してそれらの平均値を求めることにより、新たな画素（図９の画素８２）のデータを作成する。
【００４６】
そして、図８の右側に示すような、ＬＣＤ画面２４の横ｎ，縦ｍの位置にある画素８５に、この新たな画素８１，８２のデータを時分割的に順次表示させる。すなわち、図９に示すように、１サイクルを２つの期間（第１期間，第２期間）に分割し、第１期間には、画素８５に新たな画素８１のデータを表示させ、第２期間には、画素８５に新たな画素８２のデータを表示させる。そして、この第１期間及び第２期間のサイクルを繰り返していく。ここでも、第１期間の長さと第２期間の長さとを互いに等しくすることが望ましい。
【００４７】
下記の表３は、この画素８５に表示される値の具体例を示す。画素３１〜３４の値が、８ビット（０〜２５５）のＲＧＢ値でこの表の２〜５段目のように表されるとすると、画素８５のＲＧＢ値は、第１期間にはこの表の６段目の値となり、第２期間にはこの表の最下段の値となる。
【表３】
2007017615.tif 000005
【００４８】
ここではＬＣＤ画面２４の一つの画素８５について述べたが、ｎ＝０〜３１９，ｍ＝０〜２３９の全ての値について同様な処理を行うことにより、ＶＧＡ画像データ２２の水平方向に隣り合う画素のデータを、時分割的にＬＣＤ画面２４に順次繰り返して表示する。
【００４９】
図１０及び図１１は、垂直方向の解像度感のみを高めたい場合の例を示す。この場合には、図１０の左側に示すような、ＶＧＡ画像データ２２の横２ｎ〜２ｎ＋１及び縦２ｍ〜２ｍ＋１の位置にある４つの画素（画素３１，３２，３３，３４）のうち、水平方向に隣り合う画素３１及び画素３２のデータを図２のメモリ１８から読み出してそれらの平均値を求めることにより、新たな画素（図１１の画素９１）のデータを作成する。同様に、水平方向に隣り合う画素３３及び画素３４のデータをメモリ１８から読み出してそれらの平均値を求めることにより、新たな画素（図１１の画素９２）のデータを作成する。
【００５０】
そして、図１０の右側に示すような、ＬＣＤ画面２４の横ｎ，縦ｍの位置にある画素９５に、この新たな画素９１，９２のデータを時分割的に順次表示させる。すなわち、図１１に示すように、１サイクルを２つの期間（第１期間，第２期間）に分割し、第１期間には、画素９５に新たな画素９１のデータを表示させ、第２期間には、画素９５に新たな画素９２のデータを表示させる。そして、この第１期間及び第２期間のサイクルを繰り返していく。ここでも、第１期間の長さと第２期間の長さとを互いに等しくすることが望ましい。
【００５１】
下記の表４は、この画素９５に表示される値の具体例を示す。画素３１〜３４の値が、８ビット（０〜２５５）のＲＧＢ値でこの表の２〜５段目のように表されるとすると、画素９５のＲＧＢ値は、第１期間にはこの表の６段目の値となり、第２期間にはこの表の最下段の値となる。
【表４】
2007017615.tif 000006
【００５２】
ここではＬＣＤ画面２４の一つの画素９５について述べたが、ｎ＝０〜３１９，ｍ＝０〜２３９の全ての値について同様な処理を行うことにより、ＶＧＡ画像データ２２の垂直方向に隣り合う画素のデータを、時分割的にＬＣＤ画面２４に順次繰り返して表示する。
【００５３】
図１２及び図１３は、水平方向，垂直方向の双方の解像度感を、元のＶＧＡ画像データ２２の解像度には匹敵しないものの、より一層簡単な処理により、従来のようにスケーリングを行う場合と比較して高めたい場合の例を示す。この場合には、図１２の左側に示すような、ＶＧＡ画像データ２２の横２ｎ〜２ｎ＋１及び縦２ｍ〜２ｍ＋１の位置にある４つの画素（画素３１，３２，３３，３４）のうち、互いに水平方向上の位置と垂直方向上の位置との双方が異なる２つの画素である画素３１及び画素３３のデータを、図１２の右側のＬＣＤ画面２４の横ｎ，縦ｍの位置にある画素１０５に時分割的に順次表示させる。
【００５４】
すなわち、図１３に示すように、１サイクルを２つの期間（第１期間，第２期間）に分割し、第１期間には、画素３１のデータを図２のメモリ１８から読み出して画素１０５に表示させ、第２期間には、画素３３のデータをメモリ１８から読み出して画素１０５に表示させる。そして、この第１期間及び第２期間のサイクルを繰り返していく。ここでも、第１期間の長さと第２期間の長さとを互いに等しくすることが望ましい。
【００５５】
下記の表５は、この画素１０５に表示される値の具体例を示す。画素３１〜３４の値が、８ビット（０〜２５５）のＲＧＢ値でこの表の２〜５段目のように表されるとすると、画素１０５のＲＧＢ値は、第１期間にはこの表の６段目の値となり、第２期間にはこの表の最下段の値となる。
【表５】
2007017615.tif 000007
【００５６】
ここではＬＣＤ画面２４の一つの画素１０５について述べたが、ｎ＝０〜３１９，ｍ＝０〜２３９の全ての値について同様な処理を行うことにより、ＶＧＡ画像データ２２の全ての画素のデータのうち、画面上で飛び石状に存在する半分の画素のデータを、時分割的にＬＣＤ画面２４に順次繰り返して表示する。
【００５７】
これにより、メモリ１８から読み出す画素データの数が少なくなるので元のＶＧＡ画像データ２２の解像度には匹敵しないものの、より一層簡単な処理により、従来のようにスケーリングを行う場合と比較して水平方向，垂直方向の双方の解像度感を高めることができる。
【００５８】
なお、図１２の左側に示した４つの画素３１〜３４のうち、画素３１及び画素３３のデータの代わりに、画素３２及び画素３４のデータをＬＣＤ画面２４の画素１０５に時分割的に順次表示しても、全く同様にして解像度感を高めることができる。
【００５９】
また、以上の例では、メモリ１８にＶＧＡ画像データ２２をそのまま書き込んだ後、ＶＧＡ画像データ２２を各期間毎のデータ（図３〜図５の例では第１期間〜第４期間のデータ）に分類してメモリ１８から順次読み出しているが、逆に、ＶＧＡ画像データ２２を各期間のデータに分類して（図３〜図５の例では第１期間，第２期間，第３期間，第４期間の画像データに分類して）メモリ１８に書き込み、その分類したデータをメモリ１８から順次読み出すようにしてもよい。
【００６０】
また、以上の例では、ＶＧＡサイズの画像データを、ＱＶＧＡサイズの表示デバイスに表示する例について説明した。しかし、本発明は、これに限らす、表示デバイスの１つの画素に時分割表示する画像データの画素の数（図３〜図５の例の画素４１〜４５のように１つの組に含める画像データの画素の数）を、画像データの解像度と表示デバイスの解像度との比に応じて決定することにより、画像データをその画像データよりも低解像度の低い表示デバイスに表示する全ての場合に適応することが可能である。
【００６１】
例えば、８００万画素または１６７０万画素の撮像素子を有するデジタルカメラで撮影した画像データを、その画像データよりも低解像度の低い表示デバイスに表示するために適用することもできる。また、ＨＤフル規格の解像度（１９２０×１０８０＝２０７万３６００画素相当）をもつテレビジョンシステムに、それよりも更に高い解像度の画像データを表示するために適用することもできる。また、パーソナルコンピュータのモニタに、そのモニタよりも高い解像度の画像データを表示するために適用することもできる。
【００６２】
そして、テレビジョンシステムやパーソナルコンピュータのように解像度の高い表示デバイスを用いることが物理的に可能である場合にも、解像度の低い表示デバイスを用いたまま（したがってコスト高を招くことなく）、高解像度感を得ることができる。
【００６３】
また、以上の例では、静止画を表示する例について説明したが、本発明によって表示可能な画像は、静止画のみに限定されるものではない。動画の場合にも、動画のフレームレート（例えば、ＮＴＳＣ方式では５９．９４Ｈｚ）に合わせてリアルタイムに各フレームの画像データを時分割表示する、つまり１フレーム周期毎に、動画の整数倍のフレームレートで（例えば図３〜図５の例と同様に４つの画素のデータを時分割表示する場合には４倍のフレームレート）で当該フレームの画像データを時分割的に表示することにより、静止画で高解像度感が得られたのと同様に、高解像度感のある表示が可能となる。
【００６４】
また、本発明で処理する画像データは、ＹＵＶ（輝度色差）信号における輝度信号及び色差信号の双方あるいは輝度信号，色差信号のうちの片方のみであってもよいし、ＲＧＢ信号における全ての色の信号あるいは特定の１または２つの色の信号のみであってもよい。
【図面の簡単な説明】
【００６５】
【図１】本発明を適用する画像表示機器を例示する図である。
【図２】図１の携帯電話の画像処理系を示すブロック図である。
【図３】ＶＧＡ画像データ及びＬＣＤ画面の画素を例示する図である。
【図４】図３のＬＣＤ画面の一画素への時分割表示方法を示す図である。
【図５】ＬＣＤ画面全体に時分割表示される画像を示す図である。
【図６】ＬＣＤ画面の画素位置と、ＶＧＡ画像データが表示されるべき位置とのずれを示す図である。
【図７】ＬＣＤ画面に表示させるＶＧＡ画像データの画素の順番を示す図である。
【図８】ＶＧＡ画像データ及びＬＣＤ画面の画素を例示する図である。
【図９】図８のＬＣＤ画面の一画素への時分割表示方法を示す図である。
【図１０】ＶＧＡ画像データ及びＬＣＤ画面の画素を例示する図である。
【図１１】図１０のＬＣＤ画面の一画素への時分割表示方法を示す図である。
【図１２】ＶＧＡ画像データ及びＬＣＤ画面の画素を例示する図である。
【図１３】図１２のＬＣＤ画面の一画素への時分割表示方法を示す図である。
【図１４】高解像度の画像データ及び低解像度の表示デバイスを例示する図である。
【図１５】図１４の画像データ及び表示デバイスの画素を例示する図である。
【図１６】従来の手法によって図１５の表示デバイスの一画素に表示されるデータを示す図である。
【符号の説明】
【００６６】
１５  信号処理ＬＳＩ、  １６  パネルドライバ、  １７  ディスプレイパネル、１８  メモリ、  ２１  デジタルカメラ、  ２２  ＶＧＡ画像データ、  ２３  携帯電話、  ２４  ＬＣＤ画面、  ３１〜３４，４１〜４４  ＶＧＡ画像データの画素、  ４５，８５，９５，１０５  ＬＣＤ画面の画素、  ５１〜５４  ＶＧＡ画像データの画素の中心点、  ５５  ＬＣＤ画面の画素の中心点
【図１】
2007017615.tif 000008
【図２】
2007017615.tif 000009
【図３】
2007017615.tif 000010
【図４】
2007017615.tif 000011
【図５】
2007017615.tif 000012
【図６】
2007017615.tif 000013
【図７】
2007017615.tif 000014
【図８】
2007017615.tif 000015
【図９】
2007017615.tif 000016
【図１０】
2007017615.tif 000017
【図１１】
2007017615.tif 000018
【図１２】
2007017615.tif 000019
【図１３】
2007017615.tif 000020
【図１４】
2007017615.tif 000021
【図１５】
2007017615.tif 000022
【図１６】
2007017615.tif 000023